(57)【要約】【課題】よび線を用いて線材を配管内に引き入れる作業に使用されるよび線を把持するための工具であって、簡易な構成で把持力に優れた線材引き入れ用把持工具を提供する。【解決手段】本発明の線材引き入れ用把持工具は、スパイラルチューブの周囲に握りホースが取り付けられている。握りホースは２個取り付けるのが好ましく、またスパイラルチューブはウレタンからなる材料や帆布にゴム引き成型した材料が用いられる。握りホースはゴム系材料からなることが好ましく、軸方向の全長に渡って内径にまで達する切れ目が設けられていてもよい。【選択図】図１
2009044813.tif 000002
【特許請求の範囲】
【請求項１】
よび線を用いて線材を配管内に引き入れる作業において使用される前記よび線を把持するための工具であって、スパイラルチューブと、その周囲に取り付けられた握りホースとからなることを特徴とする線材引き入れ用把持工具。
【請求項２】
前記握りホースは前記スパイラルチューブの周囲に２個取り付けられていることを特徴とする請求項１記載の線材引き入れ用把持工具。
【請求項３】
前記スパイラルチューブはウレタンからなることを特徴とする請求項１または請求項２記載の線材引き入れ用把持工具。
【請求項４】
前記スパイラルチューブは帆布にゴム引き成型したものからなることを特徴とする請求項１または請求項２記載の線材引き入れ用把持工具。
【請求項５】
前記握りホースはゴム系材料からなることを特徴とする請求項１から請求項４までの何れか１項記載の線材引き入れ用把持工具。
【請求項６】
前記握りホースは軸方向の全長に渡って内径にまで達する切れ目が設けられていることを特徴とする請求項１から請求項５までの何れか１項記載の線材引き入れ用把持工具。
【発明の詳細な説明】
【技術分野】
【０００１】
本発明は、線材引き入れ用把持工具に係り、特に建物内外の既設配管内に電線等の線材を引き入れる際に用いられるよび線を把持するための工具に関する。
【背景技術】
【０００２】
建物を建てる際の電気配線は、建物内あるいは建物敷地の地下に電管（電線を入れる管）と呼ばれる管を予め配管しておき、後からこの配管内に電線を引き入れる作業が行われている。
【０００３】
このような引き入れ作業においては、曲がり部の多い配管内に電線等の線材を引き入れることから、線材を直接配管内に挿通しようとすると配管の曲がり部で線材が曲折するなどの現象が生じ、線材を損傷する虞もあるため、従来からよび線と呼ばれる引き入れ線を用いて引き入れ作業が行われている。
【０００４】
具体的には図４（ａ）に示すように、建物４０において、建物内の屋内電管４１や建物敷地の地下に埋設されている埋設電管４２に電線等の線材４３を矢印のように作業者が一方の側から押し込み、他方の側から引き抜くという作業を行っている。
【０００５】
ところで、実際の電管は図４（ｂ）に示すように途中で曲率半径の異なる多数の曲がり部４４を有しているために、この曲がり部４４を線材４３が容易に通過できるように、よび線４５と線材４３を結束して線材を電管内に引き入れている。即ち、よび線収納部材４６に収納されているよび線４５を予め電管内に押し込み、線材４３を挿入する側である電管入口４７によび線４５の一方の端部が出るようにし、電管入口４７の外側においてこの端部と線材４３の端部とを結束して結束部４８を作り、矢印の如く電管入口４７から線材４３を押し込みながら電管出口４９からよび線４５を引き抜き、線材４３を電管内に引き入れるようにしている。
【０００６】
この時、図５（ａ）に示すように、電管出口４９の近傍の外側において把持工具５０によりよび線４５を把持し、作業者はこの把持工具５０を握ってよび線４５を引き抜き、線材４３を配管内に引き入れている。
【０００７】
ここで、従来の把持工具５０としては、図５（ｂ）に示すようによび線の径程度の溝を有する二つ割りの治具でよび線を挟持して用いるものがある。この工具は二つ割りの治具を紐５１等で結び常に一対として作業、保管するようにしている。この他には、作業者が握りやすいような外周面とし、内面によび線との摩擦が増大するような形状を設けるなどして強い力で引き抜きできるようにしたものが開示されている（例えば、特許文献１参照）。また、よび線には入線の際に配管内をより容易に通過できるように潤滑剤を塗布する場合があり、よび線と把持工具とが滑らないように把持工具の内面形状を工夫したものも開示されている（例えば、特許文献２参照）。
【０００８】
なお、よび線４５としては従来からピアノ線などの金属線が用いられており、また軽量化のために合成樹脂を用いたよび線も用いられている。
【０００９】
【特許文献１】実用新案登録第３００１７３０号公報
【特許文献２】実用新案登録第３００９４２６号公報
【発明の開示】
【発明が解決しようとする課題】
【００１０】
従来から用いられている把持工具において、上記の二つ割りの把持工具は把持力を大きくすることには限界があり、また二つ割りの治具は紐等が切れ、治具のうちの一方若しくは双方が現場での施工の際に紛失するなどの問題があった。
【００１１】
一方、特許文献１及び特許文献２に記載された把持工具では、把持力は二つ割りの把持工具に比べて強いものの、構造が複雑なことからコスト高の要因となり、また把持力は作業者の握る力だけであるために調整が難しく、曲率半径の小さい曲がり部においては特に強い力で引き入れる必要があることから、よび線に潤滑剤が塗布されているような場合にはある一定以上の引き抜き力を加えると滑りやすくなるという問題もあった。
【００１２】
本発明は、上記難点を解消するためになされたもので、簡易な構成で把持力に優れた線材引き入れ用把持工具を提供するものである。
【課題を解決するための手段】
【００１３】
上記課題を解決するために本発明による線材引き入れ用把持工具の第１の態様は、よび線を用いて線材を配管内に引き入れる作業において使用されるよび線を把持するための工具であって、スパイラルチューブと、その周囲に取り付けられた握りホースとからなることを特徴とする。
【００１４】
また、本発明による線材引き入れ用把持工具の第２の態様は、第１の態様において、握りホースはスパイラルチューブの周囲に２個取り付けられていることを特徴とする。
【００１５】
さらに、本発明による線材引き入れ用把持工具の第３の態様は、第１または第２の態様において、スパイラルチューブはウレタンからなることを特徴とする。
【００１６】
また、本発明による線材引き入れ用把持工具の第４の態様は、第１または第２の態様において、スパイラルチューブは帆布にゴム引き成型したものからなることを特徴とする。
【００１７】
さらに、本発明による線材引き入れ用把持工具の第５の態様は、第１から第４の態様において、握りホースはゴム系材料からなることを特徴とする。
【００１８】
また、本発明による線材引き入れ用把持工具の第６の態様は、第１から第５の態様において、握りホースは軸方向の全長に渡って内径にまで達する切れ目が設けられていることを特徴とする。
【発明の効果】
【００１９】
本発明の線材引き入れ用把持工具の第１の態様によれば、簡易な構成で強い把持力を有する線材引き入れ用把持工具を提供することができる。
【００２０】
また、本発明の線材引き入れ用把持工具の第２態様によれば、スパイラルチューブの周囲に握りホースが２個取り付けられていることにより、両手を用いてよび線を引き抜く場合も押し込む場合もともにスパイラルチューブを伸長させてよび線を締め付けることができ、またそれぞれの握りホースを相互に反対方向に捻ることにより、より強い把持力を得ることができる。
【００２１】
さらに、本発明の線材引き入れ用把持工具の第３および第４の態様によれば、スパイラルチューブをウレタンからなる材料や帆布にゴム引き成型した材料から構成しているので、柔軟性があり、かつよび線に密着しやすいために把持力を増大させることができる。
【００２２】
また、本発明の線材引き入れ用把持工具の第５の態様によれば、握りホースをゴム系材料で構成するので、よび線に潤滑剤が塗布されていても滑ることがなく線材を引き入れることができる。
【００２３】
さらに、本発明の線材引き入れ用把持工具の第６の態様によれば、握りホースの軸方向の全長に渡って内径にまで達する切れ目を設けることにより、よび線と線材を結束した後でもよび線の任意の中間部分に把持工具を取り付けることができる。
【発明を実施するための最良の形態】
【００２４】
以下、本発明による線材引き入れ用把持工具の好ましい実施の形態について図面を参照して説明する。
【００２５】
図１は本発明の線材引き入れ用把持工具を表した図である。
【００２６】
図１において、本発明の線材引き入れ用把持工具（以下、「把持工具」という）１は、よび線４の上に巻き付けられる伸縮可能なスパイラルチューブ２と、このスパイラルチューブの周囲に取り付けられている握りホース３とから構成されている。
【００２７】
握りホース３はスパイラルチューブ全長を覆うように２個取り付けられており、それぞれの握りホースの間には若干の間隔が設けられている。
【００２８】
ここで、図１に示すように握りホース３は２個取り付けることが好ましい。この理由は、よび線や電線等の線材が配管内の曲がり部に接触して通過し難くなった場合、線材の押し込み作業者と引き抜き作業者との間で押し込み力や引き抜き力を強めたり弱めたりしながら線材を配管内に引き入れることがしばしば行われるが、この時に握りホースが２個取り付けられていると、両手でそれぞれの握りホースを持って押し込む作業および引き抜く作業を行うことができ、この時押す場合でも引く場合でも握りホースに覆われているスパイラルチューブ２はいずれも内径が小さくなりよび線を締め付けることになるので配管内への線材の引き入れ作業が行い易くなるためである。
【００２９】
ところで、握りホースの個数には特に制限はなく、１個でも差し支えない。また、作業者の人数によって３個以上とすることも可能である。握りホースの個数を多くする場合にはスパイラルチューブの長さを個数に合わせて調整すればよい。
【００３０】
なお、スパイラルチューブ２を構成する材料としては、よび線４と密着しやすいものならば特に制限はなく、例えばウレタンからなる材料や帆布のような厚手の木綿の生地にゴム引きをして成型したものなどを用いることができる。帆布にゴム引き成型したスパイラルチューブを用いる場合にはゴム引きした側の面をよび線側に向けるようにすると確実な把持力が得られる。
【００３１】
また、握りホース３を構成する材料としては、よび線に潤滑剤が塗布されている場合にはスパイラルチューブの隙間から潤滑剤が握りホース側に染み出してくることがあり、このような場合にも握りホースが滑らないようなものが好ましく、例えば天然ゴムや各種合成ゴムなどのゴム系の材料を用いるとよい。
【００３２】
ここで、よび線４に本発明の把持工具１を取り付けるには、よび線と電線等の線材を結束する前によび線４の一方の端部からスパイラルチューブ２に握りホース３を取り付けた状態の把持工具１を挿入する。この時、握りホースに力を加えていない場合には図２（ａ）に示すようにスパイラルチューブ２はよび線４の外径に対して十分余裕のある内径となっているので容易によび線４に把持工具１を挿入することができる。なお、図２においては、説明の便宜上握りホースの図示を省略している。
【００３３】
もし、よび線を引き抜こうとする場合若しくは押し込もうとする場合、握りホースに力を加えて引っ張る若しくは押し込むと、図２（ｂ）の矢印で示すように、スパイラルチューブ２はよび線４の長手方向に伸長するので、スパイラルチューブ２の内径が小さくなりよび線４を締め付けることができる。これにより引き抜き力若しくは押し込み力を発生させることができる。
【００３４】
なお、把持工具１の握りホース３に軸方向の全長に渡って内径にまで達する切れ目を１箇所設けておいてもよい。このようにすると、把持工具１をよび線４に取り付ける際に、まずスパイラルチューブ２をよび線４に巻き付け、その後握りホース３の切れ目を押し広げてスパイラルチューブ２を覆うように握りホース３を取り付けることができる。このような握りホースを用いた場合には、把持工具を予めよび線に挿入しておかなくても、線材３とよび線４とを結束した後によび線の任意の中間部分から把持工具１を取り付けることが可能となる。
【００３５】
ところで、よび線の引き抜き力や押し込み力をさらに強くしたい場合は、図３（ａ）に示すように２個の握りホースを矢印の如く相互に反対方向に捻るとよい。このようにすると、図３（ｂ）に示すようにスパイラルチューブ２はよび線４の長手方向に対して長さが短くなるとともに内径が小さくなりより強い締め付け力を得ることができる。なお、図３（ｂ）においても、説明の便宜上握りホースの図示を省略している。
【００３６】
以上説明したように、本発明の線材引き入れ用把持工具は簡易な構成でありながら潤滑剤が塗布されたよび線を引き入れる場合であっても滑りにくく確実な把持力を得ることができ、電線等の線材を配管内に容易に引き入れることができる。
【産業上の利用可能性】
【００３７】
本発明の線材引き入れ用把持工具は建物内の電管等に電線等の線材を引き入れる場合のみならず、線材や配管の種別を問わず曲がり部の多い配管内に線材を引き入れる際に適用することができる。
【図面の簡単な説明】
【００３８】
【図１】本発明の線材引き入れ用把持工具の一実施の形態を表す図である。
【図２】本発明の線材引き入れ用把持工具のスパイラルチューブの締め付け状況を説明する図である。
【図３】本発明の線材引き入れ用把持工具のスパイラルチューブの他の締め付け状況を説明する図である。
【図４】従来の配管内への引き入れ作業方法を説明する図である。
【図５】従来の配管内への引き入れ作業方法を説明する図である。
【符号の説明】
【００３９】
１                        線材引き入れ用把持工具
２                        スパイラルチューブ
３                        握りホース
４                        よび線
【図１】
2009044813.tif 000003
【図２】
2009044813.tif 000004
【図３】
2009044813.tif 000005
【図４】
2009044813.tif 000006
【図５】
2009044813.tif 000007